(57)【要約】【課題】収容室内での端子の固定が保証された、スタックされた複数のハウジングからなる電気コネクタの提供。【解決手段】スタックされた電気コネクタ（１０）は、収容室（２１，３１）をそれぞれ有する上側ハウジング（２０）及び下側のハウジング（３０）を嵌合させることにより形成される。上側及び下側のハウジング（２０，３０）は、これらのハウジングと一体に形成されたランス（２４，３４）により提供された１次端子保証を有する。２次端子保証システムは、ハウジング内に端子をさらに固定する。一実施形態において、２次端子保証システムは、上側ハウジング（２０）の端子（４０）に対して下側ハウジング（３０）の突起（３９）により与えられ、下側ハウジング（３０）の端子（４０）に対して下側ハウジング（３０）のヒンジ（３５）により与えられる。【選択図】図６
2008130561.tif 000002
【特許請求の範囲】
【請求項１】
電気端子を受容するよう構成された収容室を有する上側ハウジングであって、前記収容室に受容された前記端子に１次端子保証を与えるために前記上側ハウジングに一体に形成された上側ハウジングランスを有する前記上側ハウジングと、
該上側ハウジングと嵌合して電気コネクタを形成するよう構成され、電気端子を受容するよう構成された収容室を有する下側ハウジングであって、前記収容室に受容された前記端子に１次端子保証を与えるために前記下側ハウジングに一体に形成された下側ハウジングランスを有する前記下側ハウジングと、
該下側ハウジングに受容された前記端子に２次端子保証を与えるよう構成された２次端子保証システムと
を具備することを特徴とする電気コネクタ。
【請求項２】
前記２次端子保証システムは、ヒンジを具備し、
該ヒンジは、前記下側ハウジング内にロックされると、該下側ハウジングに受容された前記端子を固定するよう構成されていることを特徴とする請求項１記載の電気コネクタ。
【請求項３】
前記ヒンジは、回転領域で前記下側ハウジングに取り付けられ、
前記回転領域は、前記ヒンジが前記下側ハウジングとロックする前に、前記ヒンジが前記回転領域の周りに前記下側ハウジングに対して部分的に回転することを許容することを特徴とする請求項２記載の電気コネクタ。
【請求項４】
前記ヒンジは、前記下側ハウジングの前記収容室に受容された前記端子と係合するフックを有することを特徴とする請求項２記載の電気コネクタ。
【請求項５】
前記フックは、前記下側ハウジングの突出部と係合し、前記ヒンジを前記下側ハウジングと固定されたロック位置にロックするよう構成されていることを特徴とする請求項４記載の電気コネクタ。
【請求項６】
前記２次端子保証システムは、前記上側及び下側のハウジングの嵌合時に、前記上側ハウジングに受容された前記端子が移動しないように固定するよう構成された、前記下側ハウジングの上面に配置された楔部をさらに具備することを特徴とする請求項２記載の電気コネクタ。
【請求項７】
前記上側及び下側のランスは、前記上側及び下側のハウジングに受容された前記端子が移動しないようにそれぞれ固定するよう構成されていることを特徴とする請求項１記載の電気コネクタ。
【請求項８】
前記２次端子保証システムは、ロック板を具備することを特徴とする請求項１記載の電気コネクタ。
【請求項９】
前記ロック板は、該ロック板が前記下側ハウジング内に完全に挿入されると、前記下側ハウジングの前記収容室内に受容された前記端子に対して２次端子保証を提供するよう構成された下側突起を有することを特徴とする請求項８記載の電気コネクタ。
【請求項１０】
前記ロック板は、前記上側及び下側のハウジングが嵌合し、前記ロック板が前記下側ハウジング内に完全に挿入されると、前記上側ハウジングの前記収容室内に受容された前記端子に対して２次端子保証を提供するよう構成された上側突起を有することを特徴とする請求項８記載の電気コネクタ。
【請求項１１】
前記ロック板は、前記下側ハウジングから取外し可能であることを特徴とする請求項８記載の電気コネクタ。
【請求項１２】
前記ロック板は、前記上側及び下側のハウジングの前記収容室内に端子が装填できるように前記下側ハウジング内に部分的に挿入するよう構成されていることを特徴とする請求項８記載の電気コネクタ。
【発明の詳細な説明】
【技術分野】
【０００１】
本発明は、電気コネクタに関し、より具体的にはスタックされた電気コネクタに関する。
【背景技術】
【０００２】
異なるいくつかの産業及び幅広い用途において、種々の異なるハーネスで、又は特定ハーネスの種々の異なる離れた端部で、電気コネクタの設計が標準化されている。特定のハーネス設計用に電気コネクタを標準化する必要性は、自動車産業では特にある。
【０００３】
これらのハーネス組立体用の電気コネクタは、接続相手電気コネクタ又は他の嵌合可能な接続デバイスと機械的及び電気的にしっかりと係合することができる種々の構造を有するように提案されてきた。多くの用途において、コネクタは、多数の電気端子すなわち電気コンタクトを有する。これらコネクタは、複数列の端子収容室を有することが多い。ハウジングは、コネクタを形成するために互いに積み重ね（スタック）される。いくつかのコネクタにおいて、ハウジングを一緒に組み立ててコネクタを形成する前に、端子を各ハウジング内に組み込むことができる。
【特許文献１】特開平１０−２８４１６５号公報
【発明の開示】
【発明が解決しようとする課題】
【０００４】
この種のコネクタの問題は、相手コネクタとの適正な整列を確保するために、組み立てられたコネクタを高度の精密さで構成しなければならないことである。さらに、各ハウジング内の対応する収容室内で、各端子の適正な取付けが確保されなければならない。
【課題を解決するための手段】
【０００５】
この課題は、端子保証機構を有する本発明のスタックされた電気コネクタにより解決される。端子保証機構は、各コネクタハウジングの収容室内で端子の正確な装填を提供し、コネクタを形成する各ハウジングの正確な嵌合を確保する構造を有する。本発明の第１の典型的な実施形態において、電気コネクタは、上側ハウジングと、上側ハウジングと嵌合して電気コネクタを形成するよう構成された下側ハウジングを有する。上側ハウジングは、電気端子を受容するよう構成された収容室と、上側ハウジングの収容室に受容された端子に１次端子保証を与えるために上側ハウジングに一体に形成された上側ハウジングランスとを有する。下側ハウジングは、電気端子を受容するよう構成された収容室と、下側ハウジングの収容室に受容された端子に１次端子保証を与えるために下側ハウジングに一体に形成された下側ハウジングランスと、下側ハウジングの収容室に受容された端子に２次端子保証を与えるよう構成された２次端子保証システムとを有する。上側及び下側のハウジングランスは、上側及び下側のハウジングに受容された端子がそれぞれ動かないように固定するよう構成されている。
【発明を実施するための最良の形態】
【０００６】
以下、本発明の好適な一実施形態が示される添付図面を参照して、本発明を詳細に説明する。しかし、本発明は、多くの異なる形態で実施可能であり、本明細書で説明する実施形態に限定されるものと解釈してはならない。むしろ、これらの実施形態は、本開示が完全で、当業者に本発明の範囲が十分に伝わるように提供されるものである。
【０００７】
本発明の典型的な一実施形態において、端子を固定し整列させるための端子保証機構を有するスタックされたコネクタ１０は、図１に示される。コネクタ１０は、上側ハウジング２０及び下側ハウジング３０を有する。上側ハウジング２０は、端子（図示せず）を収容するよう構成された１列の上側端子収容室２１を有する。下側ハウジング３０も、端子（図示せず）を収容するよう構成された１列の下側端子収容室３１を有する。コネクタ１０は前側１２を有する。コネクタ１０を後側から見た図は、図２に示される。図２に見られるように、コネクタ１０は後側１４を有する。
【０００８】
コネクタ１０の分解図は、図３に示される。図３に見られるように、上側ハウジング２０は上側タブ２２を有する（同様に構成された相手タブは、図３に示されるように存在するが、ハウジング２０の反対側には示されていない）。図３にさらに見られるように、下側ハウジング３０は下側タブ３２を有する。上側ハウジング２０はさらに、対応する下側タブ３２と係合するためのタブ凹部２３を有する（同様に構成されたタブ凹部は、図３に示されるように存在するが、ハウジング２０の反対側には示されていない）。さらに、下側ハウジング３０はさらに、対応する上側タブ２２と係合するための下側タブ凹部３３を有する（同様に構成された下側タブ凹部は、図３に示されるように存在するが、ハウジング３０の反対側には示されていない）。上側ハウジング２０及び下側ハウジング３０が整列して図１に示されるように接触するようになると、上側タブ２２及び下側タブ３２は、対応するタブ凹部３３，２３に係止し、上側ハウジング２０及び下側ハウジング３０をロックしてコネクタ１０を形成する。
【０００９】
図３のＡ−Ａ線に沿ったコネクタ１０の断面分解図が、図４に示される。図４に見られるように、上側収容室２１及び下側収容室３１は、端子４０を収容する。端子４０は、図示されるように収容室２１，３１内に固定されるよう構成される。この典型的な実施形態において、端子４０は、２個のロック点を有するクリーンボディ端子である。
【００１０】
１次端子保証は、上側ハウジングランス２４によって上側ハウジング２０内の端子４０に対して提供されると共に、下側ハウジングランス３４によって下側ハウジング２０内の端子４０に対して提供される。ランス２４，３４は、各収容室２１，３１内に突出し、各端子４０の端子前部４２の背後に係止し、端子４０がコネクタ１０の後側１４へ移動することを防止する。図４に見られるように、ランス２４，３４は、各ハウジング２０，３０と一体に形成されている。図４にさらに見られるように、端子４０の先端部４２は、ランス２４，３４と上側及び下側のハウジング収容室前部６０，６２との間で浮動、すなわち最小限移動する。
【００１１】
図４にさらに見られるように、２次端子保証システムはヒンジ３５を具備する。ヒンジ３５は、下側ハウジング３０に配置された端子４０用の２次端子保証を与える。ヒンジ３５は、図４に示されるように、下側ハウジング３０にロックされる際に、端子４０に係止するフック３６を有する。ヒンジ３５はさらに、下側ハウジング３０内に配置された端子４０がコネクタ１０の後側１４へ移動することを防止する。フック３６は、端子４０がコネクタ１０の後側１４へ押圧されると、端子４０の下側後縁４４と係合することにより、下側後縁４４がコネクタ１０の後側１４へ引抜かれることを防止する。フック３６はまた、下側ハウジング３０の突出部３７と係合し、下側ハウジング３０にヒンジ３５をロックする。ヒンジ３５はさらに、回転領域３８を有する。回転領域３８は、突出部３７とのロックすなわち係合の前に、ヒンジ３５が回転領域３８の周りに下側ハウジング３０に対して部分的に回転することを可能にする。
【００１２】
図４に見られるように、２次端子保証システムはまた、複数の楔部３９を有する。楔部３９は、下側ハウジング３０の上面５０上に配置され、下側ハウジング３０と一体に形成される。上側ハウジング２０は、上側ハウジング２０及び下側ハウジング３０が嵌合する際に、楔部３９を受容する２次端子保証開口２６を有する。楔部３９は、上側ハウジング２０及び下側ハウジング３０が図１に示されるように嵌合する際に、上側ハウジング２０に配置された端子４０に対して２次端子保証を提供する。２次端子保証機構の形状は楔の形状をとる必要はなく、端子に対して係止面を提供するブロック等の形状も使用可能であることを理解されたい。
【００１３】
上側及び下側のハウジング２０，３０が嵌合した後の図３のＡ−Ａ線に沿った断面図が、図５に示される。図５に見られるように、２次保証は、上側ハウジング２０に配置された端子４０に対して楔部３９により提供される。楔部３９は、端子４０がコネクタ１０の後側１４へ押圧される際に端子４０の下側後縁４４と係合することにより、端子４０がコネクタ１０の後側１４へ引抜かれることを防止する。さらに、楔部３９は、端子４０が上側ハウジング２０内に装填される前に上側及び下側のハウジング２０，３０が嵌合する場合には、端子４０が上側ハウジング２０内に完全に挿入することを防止する。また、例えば部分的に挿入されることにより、端子４０が収容室２１内に完全に挿入しない場合には、楔部３９は、部分的に挿入された端子４０と不適切に接触し、上側及び下側のハウジング２０，３０が嵌合することを防止する。この特徴は、上側ハウジング２０に全ての端子４０が正しく装填されたかどうかの検査を提供する。
【００１４】
コネクタ１０の上側及び下側のハウジング２０，３０への端子４０の装填を、図６を参照して説明する。図６は、端子４０が除去されると共にコネクタ１０の後側１４から上側及び下側のハウジング２０，３０内に装填されるよう配置された状態の、図３のＡ−Ａ線に沿った断面斜視図である。上側及び下側のハウジング２０，３０内への端子４０の装填は、端子が装填された上側及び下側のハウジング２０，３０を嵌合することによりコネクタ１０の最終的に組み立てる前に、異なるタイミング及び異なる物理的位置であっても実行することができることを理解できよう。
【００１５】
端子４０は、上側及び下側のハウジング２０，３０が嵌合される前に、上側ハウジング２０内に装填される。端子４０は、嵌合時に楔部３９が上側ハウジング２０の開口２６内に受容される前に、上側ハウジング２０内に完全に挿入されなければならない。端子４０は、コネクタ１０の後側１４から上側収容室２１内に挿入される。端子４０は、完全に挿入されるために、端子４０の前側先端部４２がランス２４を押圧して通過し、ランス２４が先端部４２の背後に落ちるまで収容室２１内に挿入される。ランス２４は、前側先端部４２が通過できるのに十分な弾性を有する。
【００１６】
図６にさらに見られるように、端子４０は、ヒンジ３５が下側ハウジング３０とロックする前に、下側ハウジング３０内に装填される。端子４０が下側ハウジング３０に受容される前にヒンジ３５が下側ハウジング３０にロックされると、フック３６は、端子４０が下側ハウジングの収容室３１に完全に受容されることを防止する。さらに、端子４０は、ヒンジ３５が下側ハウジング３０内にロックされる前に収容室３１に完全に挿入されなければならない。例えば、端子４０が収容室３１内に部分的に挿入されることにより、収容室３１内に完全に挿入されない場合、フック３６は、部分的に受容された端子４０に不適切に接触し、ヒンジ３５が下側ハウジング３０内にロックすることを防止する。この特徴は、下側ハウジング３０に全ての端子４０が正しく装填されたかどうかの検査を提供する。
【００１７】
図７は、別の２次ロック機構を有するコネクタの別の実施形態を示す分解斜視図である。コネクタ１０００は、上側ハウジング１２００、下側ハウジング１３００及びロック板１３３５を有する。上側及び下側のハウジング１２００，１３００は、上側及び下側の端子収容室１２２１，１３３１をそれぞれ有する。上側及び下側の収容室１２２１，１３３１は、端子４０（図示せず）を有する。ロック板１３３５は上側突起１３３９を有する。
【００１８】
上側ハウジング１２００は、図７に示されるように、上側タブ１２２０を有する（同様に構成された相手タブは、図７に示されるように存在するが、ハウジング１２００の反対側には示されていない）。下側ハウジング１３００は下側タブ１３２０を有する。上側ハウジング１２００はさらに、対応する下側タブ１３２０と係合するためのタブ凹部１２３０を有する（同様に構成されたタブ凹部は、図７に示されるように存在するが、ハウジング１２００の反対側には示されていない）。さらに、下側ハウジングはさらに、対応する上側タブ１２２０と係合するための下側タブ凹部１３３０を有する（同様に構成された下側タブ凹部は、図７に示されるように存在するが、ハウジング１３００の反対側には示されていない）。コネクタ１０００は、前側１０１２及び後側１０１４を有する。
【００１９】
図８は、上側及び下側のハウジング１２００，１３００が嵌合した状態の図７のコネクタ１０００を示す。図８に見られるように、上側及び下側のタブ１２２０，１３２０は、対応するタブ凹部１３３０，１２３０（反対側のタブ及び凹部は図示せず）に係止し、嵌合して組立後のコネクタ１０００を形成する。
【００２０】
図７のＢ−Ｂ線に沿ったコネクタ１０００の分解断面図が、図９に示される。図９に見られるように、１次端子保証は、上側ハウジングランス１２２４によって上側ハウジング１２００内の端子４０に対して提供されると共に、下側ハウジングランス１３３４によって下側ハウジング１３００内の端子４０に対して提供される。ランス１２２４，１３３４は、各収容室１２２１，１３３１内に突出し、各端子４０の前側先端部４２の背後に係止し、端子４０がコネクタ１０００の後側１０１４へ移動することを防止する。図９に見られるように、ランス１２２４，１３３４は、各ハウジング１２２０，１３３０と一体に形成されている。
【００２１】
２次端子保証システムは、ロック板１３３５を具備する。ロック板１３３５は、図９において下側ハウジング１３００内に完全に挿入した状態で示され、下側ハウジング１３００に配置された端子４０に対して２次端子保証を提供する。ロック板１３３５が完全に挿入されると、下側突起１３３６は、下側ハウジング１３００に配置された端子４０がコネクタ１０００の後縁１０１４へ押圧されると、端子４０の下側後縁４４に係止することにより、下側収容室１３３１から引抜かれることを防止する。ロック板１３３５は、下側ハウジング１３００内にロック板１３３５がスナップフィットするためのタブ（図示せず）を有する。本実施形態において、ロック板１３３５は、図９に示されるように、下側ハウジング１３００の下面１３１０の開口１３０５内に面一で嵌る。別の実施形態において、ロック板は下側ハウジング１３００の下面１３１０から突出してもよいし、下側ハウジング１３００内へのロック板の挿入及び下側ハウジング１３００からのロック板の除去を補助するタブ又は他の構造を有してもよい。
【００２２】
図９にさらに見られるように、上側及び下側のハウジング１２００，１３００が嵌合すると、上側突起１３３９は、上側ハウジング１２００の開口１２２６に受容されると共に上側ハウジング１２００に配置された端子４０に対して２次端子保証を提供する。上側突起１３３９もまた、端子が上側ハウジング１２００の収容室１２２１内に完全に挿入されない場合、端子４０と接触して突起１３３９が開口１２２６内に完全に受容されないようにすることにより、上側及び下側のハウジング１２００，１３００の嵌合を防止する。このため、２次端子保証は、上側ハウジング内に装填された端子４０の適正な装填に対する検査を提供する。同様に、ロック板１３３５は、端子４０のうちの１個が下側ハウジング１３００の収容室１３３１内に完全に挿入されない場合、下側ハウジング１３００内に完全に挿入できず、下側ハウジング１３００にロックできない。このため、端子４０に係止する突起１３３６により下側ハウジング１３００内の端子４０に提供された２次端子保証は、下側ハウジング１３００内の適正な端子装填に対する検査を提供する。突起１３３６，１３３９は楔の形状で図示されているが、端子４０に係止するブロック等の他の形状も使用可能である。
【００２３】
ロック板１３３５は、下側ハウジング１３００内に端子４０がない場合に、下側ハウジング１３００から取外し可能である。ロック板１３３５は、下側ハウジング１３００の下面１３１０からロック板１３３５を引抜くことにより取り外される。図９に見られるように、端子４０は、下側ハウジング１３００内に存在する場合、下側ハウジング１３００の下面１３１０の開口１３０５へ引抜かれる際に、上側突起１３３９の経路を阻止する。このため、端子４０が下側ハウジング１３００内に存在する場合、ロック板１３３５は、下側ハウジング１３００の下面１３１０から引抜くことはできない。
【００２４】
図１０は、図９のＢ’−Ｂ’線に沿った組立後のコネクタ１０００の断面斜視図である。図１０に見られるように、２次端子保証は、ロック遺体１３３５の上側突起１３３９により与えられる２次ロック機構により、上側ハウジング１２００に配置された端子４０に対して提供される。図９に見られるように、ロック板１３３５が完全に挿入されると、上側突起１３３９は、端子４０がコネクタ１０００の後部１０１４へ押圧される際に端子４０の下側後縁４４に係止することにより、上側ハウジング１２００内に配置された端子４０が上側収容室１２２１から引抜かれることを防止する。
【００２５】
図１０にさらに見られるように、上側及び下側のハウジング１２００，１３００が嵌合してロック板１３３５が完全に挿入されると、ロック板１３３５の突起１３３６，１３３９は、端子４０が上側及び下側のハウジング１２００，１３００のいずれか又は両方に装填されることを防止する。
【００２６】
コネクタ１０００の上側及び下側のハウジング１２００，１３００内への端子４０の装填の典型的な一実施形態を、図１１及び図１２を参照して説明する。図１１に見られるように、ロック板１３３５が前段階位置であり、且つ上側及び下側のハウジング１２００，１３００が嵌合していない状態で、端子４０は下側ハウジング１２００内に装填される。ロック板１３３５が前段階位置にあるとき、下側突起１３３６は、図示されているように収容室１３３１とほぼ面一であり、収容室１３３１内に端子４０を装填することができる。
【００２７】
端子４０は、図示されているようにコネクタ１０００の後面１０１４から上側収容室１２２１内に装填すなわち挿入される。端子４０は、完全に挿入されるために、端子４０の前側先端部４２がランス１２２４を押圧して通過し、ランス１２２４が先端部４２の背後に落ちるまで、収容室１２２１内に挿入される。ランス１２２４は、前側先端部４２が通過できるのに十分な弾性を有する。ハウジング収容室前部１３６０により、端子４０が前方へさらに移動することを防止する。前側先端部４２は、ランス１３３４及び前部１３６０の間で浮動、すなわち所定の最小限の移動をすることができる。
【００２８】
端子４０は、ロック板１３３５が下側ハウジング１３００内にロックされる前に、下側ハウジング１３００内に装填される。端子４０が下側ハウジング１３００内に受容される前に、ロック板１３３５が下側ハウジング１３００内にロックされると、突起１３３６は、端子４０が下側ハウジング１３３０内に完全に受容されることを防止する。さらに、端子４０は、ロック板１３３５が下側ハウジング１３００内にロックされる前に下側ハウジング１３００内に完全に挿入されなければならない。例えば、端子４０が部分的に挿入されることにより、下側ハウジング１３００内に完全に挿入されない場合、突起１３３６は、部分的に受容された端子４０に不適切に接触し、ロック板１３３５が下側ハウジング１３００内にロックすることを防止する。この特徴は、下側ハウジング１３００に全ての端子４０が正しく装填されたかどうかの検査を提供する。次に、ロック板１３３５は、例えば、上側ハウジング１２００と組合せのための出荷前に、下側ハウジング１３００内にロックされて下側ハウジング１３００内に端子４０を固定することができる。
【００２９】
ランス１３３４は、端子４０が収容室１３３１から引抜かれることを防止することにより、１次端子保証を提供する。ランス１３３４は、端子４０がコネクタ１０００の後部１０１４へ押圧されると先端部４２と係合し、端子４０の更なる後方移動を防止する。ハウジング収容室の前部１３６０は、端子４０がコネクタ１０００の前側１２１２へさらに前方移動することを防止する。
【００３０】
ロック板１３３５とロックした下側ハウジング１３００が上側ハウジング１２００と嵌合する前、又は上側ハウジング１２００が下側ハウジング１３００と嵌合したがロック板１３３５が下側ハウジング１３００内にロックされた後のいずれかに、端子４０を上側ハウジング１２００内に装填することができる。端子４０は、楔部１３９が上側ハウジング１２００の開口１２６内に挿入される前に、上側ハウジング１２００に完全に挿入されなければならない。端子は、コネクタ１０００の後側１０１４から上側収容室１２２１内に受容される。端子４０は、完全に挿入されるために、端子４０の前側先端部４２がランス１２２４を押圧して通過し、ランス１２２４が先端部４２の背後に落ちるまで、収容室１２２１内に挿入される。ランス１２２４は、前側先端部４２が通過できるのに十分な弾性を有する。ハウジング収容室前部１２６０により、端子４０が前方へさらに移動することを防止する。前側先端部４２は、ランス１２２４及び前部１２６０の間で浮動、すなわち所定の最小限の移動をすることができる。
【００３１】
ランス１２２４は、端子４０が収容室１２２１から引抜かれることを防止することにより、１次端子保証を提供する。ランス１２２４は、端子４０がコネクタ１０００の後部１０１４へ押圧されると先端部４２と係合し、端子４０の更なる後方移動を防止する。ハウジング収容室の前部１２６０は、端子４０がコネクタ１０００の前側１２１２へさらに前方移動することを防止する。
【００３２】
図１２は、端子４０の挿入が完了し、上側及び下側のハウジング１２００，１３００が嵌合した状態の図１１のコネクタの断面斜視図である。ロック板１３３５は、前段階位置で示されている。ロック板１３３５は、ロック板１３３５を前段階位置に一時的にロックする、下側ハウジング１３００の凹部（図示せず）と係止する突起（図示せず）を有する。図１２に見られるように、上側及び下側のハウジング１２００，１３００内に装填された端子４０は、上側及び下側のランス１２２４，１３３４によりそれぞれ提供された１次端子保証により固定される。この前段階位置において、追加の端子４０は、上側又は下側の収容室１２２１，１３２１内に依然として装填されたままでもよい。さらに、端子４０は、後面１０１４から収容室１２２１，１３２１内に挿入可能な工具（図示せず）の補助で上側及び下側の収容室１２２１，１３２１から除去できる。工具は、ランス１２２４，１３３４の端子４０との係合を解除し、端子４０を除去することを可能にする。全ての端子４０が上側及び下側のハウジング１２００，１３００内に完全に挿入された後、ロック板１３３５は下側ハウジング１３００内に挿入されると共に固定され、端子４０に対する２次端子保証を提供する。２次端子保証は、図１０に示されるように、コネクタ１０００の後面１０１４への端子４０の移動を禁止するロック板１３３５の上側及び下側の突起１３３９，１３３６により提供される。ロック板１３３５は、挿入完了位置にロック板１３３５を固定するために、下側ハウジング１３００内又は下側ハウジング１３３０上の凹部又は表面（図示せず）に係止するタブ又は突起（図示せず）を有する。
【００３３】
開示された実施形態の端子は、高導電性金属又は合金、或いは産業界で受け入れられている他の公知の端子又はコンタクト用の材料で形成することができる。開示された実施形態の上側及び下側のハウジングは、産業界で受け入れられている非導電性ポリマで形成することができる。
【００３４】
好適な実施形態を参照して本発明を説明したが、当業者には、本発明の範囲から逸脱することなく、種々の変更を加え、要素を等価物に置換できることを理解されたい。さらに、本発明の基本的範囲から逸脱することなく、本発明の教示に対して特定の状況又は材料を適応して多くの変更例を作ることもできる。従って、本発明は、本発明を実施するために考えられるベストモードとしての特定実施形態に限定するのではなく、本発明は、特許請求の範囲の技術的範囲内の全ての実施形態を含むことが意図されている。
【図面の簡単な説明】
【００３５】
【図１】本発明の第１実施形態に従った典型的なスタックされた電気コネクタを前側から見た斜視図である。
【図２】本発明の第１実施形態に従った典型的なスタックされた電気コネクタを後側から見た斜視図である。
【図３】図１のスタックされた電気コネクタの分解斜視図である。
【図４】図３のスタックされた電気コネクタのＡ−Ａ線に沿った分解断面斜視図である。
【図５】組立後の図３のスタックされた電気コネクタのＡ−Ａ線に沿った断面斜視図である。
【図６】端子が除去された状態の図３のスタックされた電気コネクタのＡ−Ａ線に沿った分解断面斜視図である。
【図７】本発明の第２実施形態に従った典型的なスタックされた電気コネクタの分解斜視図である。
【図８】組立後の図７のスタックされた電気コネクタを前側から見た斜視図である。
【図９】図７のスタックされた電気コネクタのＢ−Ｂ線に沿った分解断面斜視図である。
【図１０】図８のスタックされた電気コネクタのＢ’−Ｂ’線に沿った分解断面斜視図である。
【図１１】端子が除去され、ロック板が前段階位置にある図８のスタックされた電気コネクタの分解断面斜視図である。
【図１２】ロック板が前段階位置にある図１０のスタックされた電気コネクタの断面斜視図である。
【符号の説明】
【００３６】
１０      コネクタ
２０      上側ハウジング
２１      収容室
２４      上側ハウジングランス
３０      下側ハウジング
３１      収容室
３４      下側ハウジングランス
３５      ヒンジ
３６      フック
３７      突出部
３９      楔部
４０      端子
１０００  コネクタ
１２００  上側ハウジング
１２２１  収容室
１２２４  側ハウジングランス
１３００  下側ハウジング
１３３１  収容室
１３３４  下側ハウジングランス
１３３５  ロック板
１３３６  下側突起
１３３９  上側突起
【図１】
2008130561.tif 000003
【図２】
2008130561.tif 000004
【図３】
2008130561.tif 000005
【図４】
2008130561.tif 000006
【図５】
2008130561.tif 000007
【図６】
2008130561.tif 000008
【図７】
2008130561.tif 000009
【図８】
2008130561.tif 000010
【図９】
2008130561.tif 000011
【図１０】
2008130561.tif 000012
【図１１】
2008130561.tif 000013
【図１２】
2008130561.tif 000014